(57)【要約】  情報源３から、音声／映像情報に変換される放送情報を受信する受信デバイス２を含むシステム１が、ユーザ操作に応答して、収集装置５に放送情報の一部を定義する選択情報を伝送するトリガデバイス４を導入、放送情報の当該部分にリンクされた追加情報を検索することにより、ユーザに対してより親切となる。ユーザは選択情報の伝送をアクティブ化するだけで自動的に情報源３または他の媒体６から追加情報が検索される。放送情報が、その放送情報の当該部分を定義する部分コードを含み、情報源３を定義する情報源コードを含み、システム１が、情報源コードに時間／日付スタンプを付加するための時間／日付スタンプ付加器２５、４５、５５を含む。メモリ２６、４６、５６がユーザプロファイルを記憶する。収集装置５が、ＷＡＶ形式の楽曲など追加情報を収集し、（音声）ＣＤなど収集された追加情報をユーザに送る第三者収集装置であってよい。
2008526060.tif 000002
【特許請求の範囲】
【請求項１】
放送情報をユーザに知覚可能な音声／映像情報に変換するための変換器（２３）を含む、情報源（３）から放送情報を受信するための受信デバイス（２）を含むシステム（１）であって、ユーザ側からのユーザ操作に応答して、前記情報源（３）とは別の収集装置（５）に放送情報の一部を定義する選択情報を伝送するためのトリガデバイス（４）をさらに含み、収集装置（５）が選択情報の受信に応答して、放送情報の当該部分にリンクされた追加情報を検索するための検索器（５１）を含むことを特徴とする、システム。
【請求項２】
放送情報が、放送情報の当該部分を定義する部分コードを含み、受信デバイス（２）が、部分コードをトリガデバイス（４）に供給するための供給器（２２）を含み、選択情報が部分コードを含むことを特徴とする、請求項１に記載のシステム（１）。
【請求項３】
放送情報が、情報源（３）を定義する情報源コードを含み、受信デバイス（２）が、情報源コードをトリガデバイス（４）に供給するための供給器（２２）を含み、選択情報が情報源コードを含み、システム（１）がさらに、情報源コードに時間／日付スタンプを付加するための時間／日付スタンプ付加器（２５、４５、５５）を含むことを特徴とする、請求項１または２に記載のシステム（１）。
【請求項４】
システム（１）がさらに、ユーザプロファイルを記憶するためのメモリ（２６、４６、５６）を含むことを特徴とする、請求項１、２または３に記載のシステム（１）。
【請求項５】
システム（１）がさらに、追加情報のパラメータを閾値と比較するための比較器（５９）を含むことを特徴とする、請求項１、２、３または４に記載のシステム（１）。
【請求項６】
システム（１）がさらに、ユーザに確認を要求するためのリクエスタ（２７、４７、５７）を含むことを特徴とする、請求項１、２、３、４または５に記載のシステム（１）。
【請求項７】
システム（１）がさらに、選択情報を計数するための計数器（４８、５８）を含むことを特徴とする、請求項１、２、３、４、５または６に記載のシステム（１）。
【請求項８】
収集装置（５）が、放送情報の一部にリンクされた追加情報を収集し、収集された追加情報をユーザに送るための収集器（５４）を含む第三者収集装置（５）であることを特徴とする、請求項１、２、３、４、５、６または７に記載のシステム（１）。
【請求項９】
放送情報をユーザに知覚可能な音声／映像情報に変換するための変換器（２３）を含む、情報源（３）から放送情報を受信するための受信デバイス（２）を含む請求項１で定義されたシステム（１）で使用される受信デバイス（２）であって、システム（１）がさらに、ユーザ側からのユーザ操作に応答して、前記情報源（３）とは別の収集装置（５）に放送情報の一部を定義する選択情報を伝送するためのトリガデバイス（４）を含み、収集装置（５）が選択情報の受信に応答して、放送情報の当該部分にリンクされた追加情報を検索するための検索器（５１）を含み、受信デバイス（２）が、コードをトリガデバイス（４）に供給するための供給器（２２）を含み、選択情報がコードを含むことを特徴とする、受信デバイス（２）。
【請求項１０】
放送情報をユーザに知覚可能な音声／映像情報に変換するための変換器（２３）を含む、情報源（３）から放送情報を受信するための受信デバイス（２）を含む請求項１で定義されたシステム（１）で使用されるトリガデバイス（４）であって、システム（１）がさらに、ユーザ側からのユーザ操作に応答して、前記情報源（３）とは別の収集装置（５）に放送情報の一部を定義する選択情報を伝送するためのトリガデバイス（４）を含み、収集装置（５）が選択情報の受信に応答して、放送情報の当該部分にリンクされた追加情報を検索するための検索器（５１）を含むことを特徴とする、トリガデバイス（４）。
【請求項１１】
放送情報をユーザに知覚可能な音声／映像情報に変換するための変換器（２３）を含む、情報源（３）から放送情報を受信するための受信デバイス（２）を含む請求項１で定義されたシステム（１）で使用される収集装置（５）であって、システム（１）がさらに、ユーザ側からのユーザ操作に応答して、前記情報源（３）とは別の収集装置（５）に放送情報の一部を定義する選択情報を伝送するためのトリガデバイス（４）を含み、収集装置（５）が選択情報の受信に応答して、放送情報の当該部分にリンクされた追加情報を検索するための検索器（５１）を含むことを特徴とする、収集装置（５）。
【請求項１２】
情報源（３）から放送情報を受信する受信工程と、放送情報をユーザに知覚可能な音声／映像情報に変換する変換工程とを含む、請求項１で定義されたシステム（１）で使用される方法であって、ユーザ側からのユーザ操作に応答して、前記情報源（３）とは別の収集装置（５）に放送情報の一部を定義する選択情報を伝送するトリガ工程と、選択情報の受信に応答して、放送情報の当該部分にリンクされた追加情報を検索する検索工程とをさらに含むことを特徴とする、方法。
【請求項１３】
情報源（３）から放送情報を受信する受信機能と、放送情報をユーザに知覚可能な音声／映像情報に変換する変換機能とを含む、請求項１で定義されたシステム（１）で使用されるプロセッサプログラム製品であって、ユーザ側からのユーザ操作に応答して、前記情報源（３）とは別の収集装置（５）に放送情報の一部を定義する選択情報を伝送するトリガ機能と、選択情報の受信に応答して、放送情報の当該部分にリンクされた追加情報を検索する検索機能とをさらに含むことを特徴とする、プロセッサプログラム製品。
【発明の詳細な説明】
【技術分野】
【０００１】
本発明は、情報源（ｓｏｕｒｃｅ）から放送情報（ｂｒｏａｄｃａｓｔ  ｉｎｆｏｒｍａｔｉｏｎ）を受信するための受信デバイスを含むシステムに関し、この受信デバイスは、放送情報をユーザに知覚可能な音声／映像情報に変換するための変換器を含む。
【０００２】
情報源は、例えばテレビ局、ラジオ局、あるいはインターネット局を含む。音声／映像情報は、音声情報および／または映像情報を含む。
【背景技術】
【０００３】
従来技術のシステムは、広く一般に知られており、例えば情報源がテレビ局の場合にはテレビ受信器という形態での、情報源がラジオ局の場合にはラジオ受信器という形態での、あるいは情報源がインターネット局の場合にはインターネット接続したパーソナルコンピュータ（ｉｎｔｅｒｎｅｔ  ｐｅｒｓｏｎａｌ  ｃｏｍｐｕｔｅｒ）という形態での受信デバイスを含む。テレビ受信器およびインターネット接続したパーソナルコンピュータは映像情報を表示するための画面を含み、テレビ受信器、ラジオ受信器、およびインターネット接続したパーソナルコンピュータは音声情報を再生するためのスピーカを含む。
【発明の開示】
【発明が解決しようとする課題】
【０００４】
ユーザは、映像情報を見るのであれば、例えばステージで演奏しているバンド、映像コマーシャル、ビデオ討論など興味あるものを見るだろうし、音声情報を聴くのであれば、例えば楽曲、音声コマーシャル、音声による討論など興味あるものを聴くだろう。このユーザが、例えばバンドの名前、映像コマーシャルで目にした製品またはサービスの価格、ビデオ討論の参加者の名前、楽曲の名前、音声コマーシャルで耳にした製品またはサービスの価格、音声による討論での議題などの追加情報の入手を望むことがある。そのような場合、ユーザは、一定の時間待たされ懸命に注意を払い、ようやく追加情報が与えられるとその情報をメモまたは記憶するか、追加情報が与えられない場合には調べるかのどちらかをしなければならない。これはどれも、どちらかといえばユーザに対して不親切である。
【０００５】
知られているシステムは、とりわけ、それがどちらかといえばユーザに対して不親切であるため不利である。
【０００６】
本発明の目的は、とりわけ、上記で定義されたような、どちらかといえばユーザに対して親切なシステムを提供することである。
【課題を解決するための手段】
【０００７】
本発明によるシステムは、そのシステムがさらに、ユーザ側からのユーザ操作（ｕｓｅｒ  ａｃｔｉｏｎ）に応答して、前記情報源とは別の収集装置に放送情報の一部を定義する選択情報を伝送するためのトリガデバイス（ｔｒｉｇｇｅｒｉｎｇ  ｄｅｖｉｃｅ）を含むことを特徴とし、この収集装置は、選択情報の受信に応答して、放送情報の当該部分にリンクされた追加情報を検索するための検索器（ｒｅｔｒｉｅｖｅｒ）を含む。
【０００８】
ユーザ側からのユーザ操作に応答して、収集装置に放送情報の一部を定義する選択情報を伝送するためのトリガデバイスを導入することにより、かつ選択情報の受信に応答して、放送情報の当該部分にリンクされた追加情報を検索するための検索器を含む収集装置を導入することにより、ユーザはもはや必要事項（ｔｈｉｎｇｓ）をメモまたは記憶する、あるいは調べる必要がなくなる。ユーザはただ選択情報の伝送をアクティブ化するだけでよく、そうすれば自動的に情報源または他の媒体から追加情報が検索される。結果的に、本発明によるシステムは、ユーザに対してより親切となる。
【０００９】
受信デバイスおよびトリガデバイスが１つの筐体に纏められてもよいし、トリガデバイスおよび収集装置が１つの筐体に纏められてもよいし、受信デバイスおよび収集装置が１つの筐体に纏められてもよいし、両デバイスおよび収集装置が１つの筐体に纏められてもよいし、各デバイスおよび収集装置がそれぞれ独自の筐体を有してもよい。
【００１０】
本発明によるシステムの一実施形態は、放送情報が、その放送情報の当該部分を定義する部分コード（ｐａｒｔ  ｃｏｄｅ）を含み、受信デバイスが、部分コードをトリガデバイスに供給するための供給器（ｓｕｐｐｌｉｅｒ）を含み、選択情報がその部分コードを含むことを特徴とする。
【００１１】
放送情報におけるユーザにとって興味のある部分を定義する部分コードを受信デバイスからトリガデバイスに供給することにより、選択情報が部分コードを付けて提供され得る。この部分コードは、例えば文字多重コード（ｔｅｌｅｔｅｘｔ  ｃｏｄｅ）、無線復号信号コード（ｒａｄｉｏ  ｄｅｃｏｄｉｎｇ  ｓｉｇｎａｌ  ｃｏｄｅ）、インターネットプロトコルアドレス、あるいはＵＲＬ（ｕｎｉｖｅｒｓａｌ  ｒｅｓｏｕｒｃｅ  ｌｏｃａｔｉｏｎ）を含むことができる。部分コードは、放送情報の興味ある部分を識別するのに十分足り得る。
【００１２】
本発明によるシステムの一実施形態は、放送情報が、情報源を定義する情報源コードを含み、受信デバイスが、情報源コードをトリガデバイスに供給するための供給器を含み、選択情報が情報源コードを含み、システムがさらに、情報源コードに時間／日付スタンプを付加するための時間／日付スタンプ付加器（ｔｉｍｅ／ｄａｔｅ  ｓｔａｍｐ  ａｄｄｅｒ）を含むことを特徴とする。
【００１３】
ユーザにとって興味のある放送情報を放送する情報源を定義する情報源コードを受信デバイスからトリガデバイスに供給することにより、選択情報が情報源コードを付けて提供され得る。この情報源コードは、例えば文字多重コード、無線復号信号コード、インターネットプロトコルアドレス、あるいはＵＲＬを含むことができる。時間／日付スタンプ付加器を、例えば受信デバイスに（利点：放送情報に近い）、トリガデバイスに（利点：選択信号に近い）、あるいは収集装置に（利点：検索器に近い）導入することにより、時間／日付スタンプが情報源コードに付加され得る。情報源コードおよび時間／日付スタンプの組合せは、放送情報の興味ある部分を識別するのに十分足り得る。
【００１４】
本発明によるシステムの一実施形態は、システムがさらに、ユーザプロファイルを記憶するためのメモリを含むことを特徴とする。
【００１５】
メモリを、例えば受信デバイスに（利点：放送情報に近い）、トリガデバイスに（利点：選択信号に近い）、あるいは収集装置に（利点：検索器に近い）導入することにより、ユーザプロファイルが記憶され得る。かかるユーザプロファイルは、例えばユーザ選択（ｕｓｅｒ  ｐｒｅｆｅｒｅｎｃｅｓ）を記憶するのに使用されて、部分コードの、かつ／または情報源コードと時間／日付スタンプの組合せの精度を高めることができる。実際、ユーザプロファイルは、より短い部分コードを用いるために、かつ／または情報源コードと時間／日付スタンプのより短い組合せを用いるために使用されてよい。ユーザプロファイルはユーザにより適合可能であることが好ましい。
【００１６】
本発明によるシステムの一実施形態は、システムがさらに、追加情報のパラメータを閾値と比較するための比較器を含むことを特徴とする。
【００１７】
比較器を、例えば収集装置に導入することにより、追加情報のパラメータが１つまたは複数の閾値と比較され得る。こうして、パラメータが追加情報のコストを定義する場合には、コストの上限（ｃｏｓｔ  ｌｉｍｉｔ）が閾値によって定義されることが可能となり、パラメータが追加情報のサイズを定義する場合には、サイズの上限が閾値によって定義されることが可能になる。閾値はユーザプロファイルに含まれてよい。
【００１８】
本発明によるシステムの一実施形態は、システムがさらに、ユーザに確認を要求するためのリクエスタ（ｒｅｑｕｅｓｔｅｒ）を含むことを特徴とする。
【００１９】
リクエスタを、例えば受信デバイスに（利点：放送情報に近い）、トリガデバイスに（利点：選択信号に近い）、あるいは収集装置に（利点：検索器に近い）導入することにより、ユーザが確認をするよう要求され得る。こうして、パラメータが閾値を越える場合には、確認が与えられることになり、ユーザプロファイルが部分コードの、かつ／または情報源コードと時間／日付スタンプの組合せの精度を高めるのに使用される場合にも、確認が与えられることになる。
【００２０】
本発明によるシステムの一実施形態は、システムがさらに、選択情報を計数するための計数器を含むことを特徴とする。
【００２１】
計数器を、例えばトリガデバイスに（利点：選択信号に近い）、あるいは収集装置に（利点：検索器に近い）導入することにより、選択情報が、例えば部分コードごとに、情報源コードごとに、あるいは時間／日付スタンプごとに計数され得る。こうして、例えばユーザプロファイルを適合するのに統計が利用可能となる。
【００２２】
本発明によるシステムの一実施形態は、収集装置が、放送情報の一部にリンクされた追加情報を収集し、収集された追加情報をユーザに送る収集器を含む第三者収集装置（ｔｈｉｒｄ  ｐａｒｔｙ  ｃｏｌｌｅｃｔｉｎｇ  ａｐｐａｒａｔｕｓ）であることを特徴とする。
【００２３】
第三者収集装置は、情報源により放送された対応する楽曲など放送情報の一部にリンクされた追加情報、例えばＷＡＶ形式の楽曲などを、例えば検索するのに使用され、かつ例えばＷＡＶ形式の楽曲を収集し、十分な数の楽曲が収集されるとそれらをＣＤに書き込むのに使用される。この（音声）ＣＤが、ユーザに伝送されることになる。この場合、最も多く計数された選択信号が最も人気のある楽曲を示すことができ、その楽曲が第１に書き込まれることになる等々である。第三者収集装置は、追加情報の検索に対して料金を支払うことがあり、それより高い金額を追加情報の検索およびサービスに対してユーザに請求することができる。
【００２４】
収集装置が第三者収集装置である場合、選択情報がさらに、ユーザを定義するユーザコードあるいはユーザの住居および／またはユーザのデバイスを定義する位置コードを含むことができる。
【００２５】
本発明はまた、情報源から放送情報を受信するための受信デバイスを含む上記で定義されたシステムで使用される受信デバイスに関し、この受信デバイスが、放送情報をユーザに知覚可能な音声／映像情報に変換するための変換器を含み、システムがさらに、ユーザ側からのユーザ操作に応答して、前記情報源とは別の収集装置に放送情報の一部を定義する選択情報を伝送するためのトリガデバイスを含み、この収集装置が、選択情報の受信に応答して、放送情報の当該部分にリンクされた追加情報を検索するための検索器を含み、受信デバイスが、コードをトリガデバイスに供給するための供給器を含み、選択情報がそのコードを含むことを特徴とする。
【００２６】
本発明はまた、情報源から放送情報を受信するための受信デバイスを含む上記で定義されたシステムで使用されるトリガデバイスに関し、この受信デバイスが、放送情報をユーザに知覚可能な音声／映像情報に変換するための変換器を含み、システムがさらに、ユーザ側からのユーザ操作に応答して、前記情報源とは別の収集装置に放送情報の一部を定義する選択情報を伝送するためのトリガデバイスを含み、この収集装置が、選択情報の受信に応答して、放送情報の当該部分にリンクされた追加情報を検索するための検索器を含むことを特徴とする。
【００２７】
本発明はまた、情報源から放送情報を受信するための受信デバイスを含む上記で定義されたシステムで使用される収集装置に関し、この受信デバイスが、放送情報をユーザに知覚可能な音声／映像情報に変換するための変換器を含み、システムがさらに、ユーザ側からのユーザ操作に応答して、前記情報源とは別の収集装置に放送情報の一部を定義する選択情報を伝送するためのトリガデバイスを含み、この収集装置が、選択情報の受信に応答して、放送情報の当該部分にリンクされた追加情報を検索するための検索器を含むことを特徴とする。
【００２８】
本発明はまた、情報源から放送情報を受信する受信工程と、放送情報をユーザに知覚可能な音声／映像情報に変換する変換工程とを含む、上記で定義されたシステムで使用される方法に関し、方法がさらに、ユーザ側からのユーザ操作に応答して、前記情報源とは別の収集装置に放送情報の一部を定義する選択情報を伝送するトリガ工程と、選択情報の受信に応答して、放送情報の当該部分にリンクされた追加情報を検索する検索工程とを含むことを特徴とする。
【００２９】
本発明はまた、情報源から放送情報を受信する受信機能と、放送情報をユーザに知覚可能な音声／映像情報に変換する変換機能とを含む、上記で定義されたシステムで使用されるプロセッサプログラム製品（ｐｒｏｃｅｓｓｏｒ  ｐｒｏｇｒａｍ  ｐｒｏｄｕｃｔ）に関し、このプロセッサプログラム製品がさらに、ユーザ側からのユーザ操作に応答して、前記情報源とは別の収集装置に放送情報の一部を定義する選択情報を伝送するトリガ機能と、選択情報の受信に応答して、放送情報の当該部分にリンクされた追加情報を検索する検索機能とを含むことを特徴とする。
【００３０】
本発明による受信デバイスの実施形態、本発明によるトリガデバイスの実施形態、本発明による収集装置の実施形態、本発明による方法の実施形態、および本発明によるプロセッサプログラム製品の実施形態は、本発明によるシステムの諸実施形態に対応する。
【００３１】
本発明は、とりわけ、追加情報が与えられる場合に、かかる追加情報をメモまたは記憶しなければならないことがユーザに対して不親切であり、追加情報が与えられない場合に、調べなければならないことがユーザに対して不親切であるという見識に基づいており、かつ、とりわけ、ユーザ側からのユーザ操作に応答して、収集装置に放送情報の一部を定義する選択情報を伝送するためのトリガデバイスが導入されるべきであり、選択情報の受信に応答して、放送情報の当該部分にリンクされた追加情報を検索するための検索器を含む収集装置が導入されるべきであるという基本概念に基づいている。
【００３２】
本発明は、とりわけ、どちらかといえばユーザに対して親切である上記で定義されたシステムを提供するという問題を解決し、とりわけ、本発明によるシステムがユーザに対してより親切である点で有利である。
【００３３】
本発明の以上およびその他の態様は、以下で説明される１つまたは複数の実施形態を参照することで明らかとなり、解明されよう。
【発明を実施するための最良の形態】
【００３４】
図１に示された本発明によるシステム１は、有線または無線接続を介して情報源３に結合された本発明による受信デバイス２、有線または無線接続を介して受信デバイス３に結合された本発明によるトリガデバイス４、および有線または無線接続を介してトリガデバイス４に結合された本発明による収集デバイス５を含む。収集デバイス５は、有線または無線接続を介して情報源３に、あるいは有線または無線接続を介して媒体６に結合される。媒体６は情報源３にリンクされてよい。
【００３５】
図２に詳細に示された本発明による受信デバイス２は、情報源３から放送情報を受信するための受信器２１と、受信器２１に結合され、また放送情報をユーザに知覚可能な音声／映像情報に変換するための変換器２３にも結合されたプロセッサシステム２０とを含む。加えて変換器２３はまた、マンマシンインターフェース２４に結合される。プロセッサシステム２０はさらに、ユーザのユーザプロファイルを記憶するためのメモリ２６に、トリガデバイス４にコードを供給するための供給器２２に、およびユーザに確認を要求するためのリクエスタ２７に結合される。供給器２２はさらに、コードに時間／日付スタンプを付加するための時間／日付スタンプ付加器２５に結合される。
【００３６】
図３に詳細に示された本発明によるトリガデバイス４は、受信デバイス２からコードを受信するための受信器４１を含み、受信器４１に結合され、また放送情報の一部を定義する選択情報を収集装置５に伝送するための伝送器４２にも結合され、さらに受信器４３にも結合されたプロセッサシステム４０を含む。受信器４１は、時間／日付スタンプ付加器４５に結合される。プロセッサシステム４０はさらに、ユーザプロファイルを記憶するためのメモリ４６、ユーザに確認を要求するためのリクエスタ４７、および選択情報を計数するための計数器４８に結合される。
【００３７】
図４に詳細に示される本発明による収集装置５は、放送情報における選択情報により定義される部分にリンクされた追加情報を検索するための検索器５１を含み、また検索器５１に結合され、また選択情報をトリガデバイス４から受信するための受信器５２にも結合され、さらに伝送器５３にも結合されたプロセッサシステム５０を含む。検索器５１は、時間／日付スタンプ付加器５５と、例えばさらに伝送器５３にも結合される収集器５４とに結合される。プロセッサシステム５０はまた、ユーザプロファイルを記憶するためのメモリ５６、ユーザに確認を要求するためのリクエスタ５７、選択情報を計数するための計数器５８、および追加情報のパラメータを閾値と比較するための比較器５９にも結合される。
【００３８】
情報源３は、例えばテレビ局、ラジオ局、あるいはインターネット局を含む。音声／映像情報は、音声情報および／または映像情報を含む。受信デバイス２は、情報源３がテレビ局の場合にはテレビ受信器という形態であってよいし、情報源３がラジオ局の場合にはラジオ受信器という形態であってよいし、情報源３がインターネット局の場合にはインターネット接続したパーソナルコンピュータという形態であってよい。テレビ受信器およびインターネット接続したパーソナルコンピュータは映像情報を表示するための画面を含み、テレビ受信器、ラジオ受信器、およびインターネット接続したパーソナルコンピュータは音声情報を再生するためのスピーカを含む。ラジオ受信器は、無線復号信号を表示するための画面／ディスプレイを含むことができ、それにより単なるチャネル識別以上の情報が放送され得る。現在、一部のラジオ受信器は、ラジオ受信器の画面／ディスプレイに表示されたバンド名および楽曲の題名を放送することができる。これら画面、ディスプレイ、およびスピーカが、マンマシンインターフェース２４に含まれる。
【００３９】
従来技術の状況では、ユーザは、映像情報を見るのであれば、例えばステージで演奏しているバンド、映像コマーシャル、ビデオ討論など興味あるものを見るだろうし、音声情報を聴くのであれば、例えば楽曲、音声コマーシャル、音声による討論など興味あるものを聴くだろう。このユーザは、例えばバンドの名前、映像コマーシャルで目にした製品またはサービスの価格、ビデオ討論の参加者の名前、楽曲の名前、音声コマーシャルで耳にした製品またはサービスの価格、音声による討論での議題などの追加情報の入手を望むことがある。そのような場合、ユーザは、一定の時間待たされ懸命に注意を払い、ようやく追加情報が与えられるとその情報をメモまたは記憶するか、追加情報が与えられない場合には調べるかのどちらかをしなければならない。これはどれも、どちらかといえばユーザに対して不親切である。
【００４０】
本発明によれば、ユーザ側からのユーザ操作に応答して、前記情報源３とは別の収集装置５に放送情報の一部を定義する選択情報を伝送するためのトリガデバイス４が導入され、この収集装置５が、選択情報の受信に応答して、放送情報の当該部分にリンクされた追加情報を検索するための検索器５１を含む。その結果、ユーザはもはや必要事項をメモまたは記憶する、あるいは調べる必要がなくなる。ユーザはただ選択情報の伝送をアクティブ化するだけでよく、そうすれば自動的に情報源３またはウェブサイトなどの媒体６から追加情報が検索される。結果的に、本発明によるシステム１は、ユーザに対してより親切となる。
【００４１】
追加情報は、例えば伝送器５３、さらには受信器４３を介してトリガデバイス４に送り返されてよい。あるいは、この追加情報が、例えば伝送器５３、さらには図示されていない受信デバイスの受信器を介して、かつ有線または無線接続を介して受信デバイス２に送り返されてもよい。
【００４２】
最も簡潔な一実施形態では、放送情報のどの部分がユーザにとって興味あるかをユーザがユーザ操作を通じて示さなければならず、かつ／またはどの情報源３からこの放送情報が発信されてくるかなどといったことをユーザが示さなければならない。これはどれもなお、例えば単にボタンを押す、またはアイコンをアクティブ化するなど以上のことをユーザに要求する。あるいは、トリガデバイス４が、例えば第１ボタンが第１情報源に対応することを、第２ボタンが第２情報源に対応することなどを定義するある種の情報で適合されてもよい。しかし、これは、ユーザがトリガデバイス４を使用できるようになる前にユーザに何かするように要求することになり、どちらかといえば静的解決策である。
【００４３】
より高度な実施形態では、放送情報が、放送情報の当該部分を定義する部分コードを含み、この部分コードが、供給器２２を介して、この部分コードをもつ選択情報を提供するためのトリガデバイス４に供給される。部分コードは、例えば文字多重コード、無線復号信号コード、インターネットプロトコルアドレス、あるいはＵＲＬなどを含むことができる。部分コードは、放送情報の興味ある部分を識別するのに十分足り得る。
【００４４】
他のより高度な実施形態では、放送情報が、情報源３を定義する情報源コードを含み、この情報源コードが、供給器２２を介して、この情報源コードをもつ選択情報を提供するためのトリガデバイス４に供給される。時間／日付スタンプ付加器２５、４５、および／または５５を介して、時間／日付スタンプが情報源コードに付加され得る。この情報源コードは、例えば文字多重コード、無線復号信号コード、インターネットプロトコルアドレス、あるいはＵＲＬなどを含むことができる。情報源コードと時間／日付スタンプの組合せは、放送情報の興味ある部分を識別するのに十分足り得る。
【００４５】
メモリ２６、４６、および／または５６が、ユーザプロファイルを記憶するのに使用される。かかるユーザプロファイルは、例えばユーザ選択を記憶するのに使用されて、部分コードの、かつ／または情報源コードと時間／日付スタンプの組合せの精度を高めることができる。実際、ユーザプロファイルは、より短い部分コードを用いるために、かつ／または情報源コードと時間／日付スタンプのより短い組合せを用いるために使用されてよい。ユーザプロファイルはユーザにより適合可能であることが好ましい。
【００４６】
比較器５９が、追加情報のパラメータを閾値と比較する。パラメータが追加情報のコストを定義する場合には、コストの上限が閾値によって定義されることが可能となり、パラメータが追加情報のサイズを定義する場合には、サイズの上限が閾値によって定義されることが可能になる。閾値はユーザプロファイルに含まれてよい。上記以外のパラメータが除外されることはない。
【００４７】
リクエスタ２７、４７、および／または５７が、ユーザに確認を要求する。例えば、パラメータが閾値を越える場合には、確認が与えられることになり、ユーザプロファイルが部分コードの、かつ／または情報源コードと時間／日付スタンプの組合せの精度を高めるのに使用される場合にも、確認が与えられることになる。確認が与えられる他の理由が除外されることはない。受信デバイス２が、選択情報が送られようとしているトリガデバイスからフィードバックを受信する場合に、リクエスタ２７が使用され得る。リクエスタ２７または４７が、例えばユーザにユーザ操作を繰り返させるようにユーザに向けられた通知信号（音、光、ディスプレイメッセージなど）などの指示を含むことができる。リクエスタ５７が、例えばトリガデバイスに送られるべき通知信号を生成するための生成器を含むことができる。
【００４８】
計数器４８および／または５８が、例えば部分コードごとに、情報源コードごとに、あるいは時間／日付スタンプごとに選択情報を計数して、例えばユーザプロファイルを適合させるのに統計を利用可能にする。
【００４９】
収集装置５は、放送情報の一部にリンクされた追加情報を収集し、収集された追加情報を例えば伝送器５３を介してユーザに送る収集器５４を含む第三者収集装置であってよい。第三者収集装置は、情報源３により放送された対応する楽曲など放送情報の一部にリンクされた追加情報、例えばＷＡＶ形式の楽曲などを、例えば検索するのに使用され、かつ例えばＷＡＶ形式の楽曲を収集し、十分な数の楽曲が収集されるとすぐにそれらをＣＤに書き込むのに使用される。この（音声）ＣＤが、ユーザに例えばメールで伝送されることになる。この場合、最も多く計数された選択信号が最も人気のある楽曲を示し、その楽曲が第１に書き込まれることになる等々である。第三者収集装置は、追加情報の検索に対して料金を支払うことがあり、それより高い金額を追加情報の検索およびサービスに対してユーザに請求することができる。収集装置が第三者収集装置である場合、選択情報がさらに、課金を目的として、ユーザを定義するユーザコードまたはユーザの住居および／またはユーザのデバイスを定義する位置コードを含むことができる。
【００５０】
ＣＤに音楽を有する実施形態が、本発明の唯一の適用例ではない。他の多数の実施形態が可能であり、例えば、それだけに限らないが以下のアイテムがユーザに送られてもよい。Ａ）ラジオニュース速報および／またはテレビニュース速報の、手短にラジオで聴いた、かつ／またはテレビで見たパーソナリティの全発言の文字に起こされた内容など。Ｂ）ラジオで聴いた、かつ／またはテレビで見た書籍、ＤＶＤなど。Ｃ）新聞、雑誌など。Ｄ）ラジオで宣伝される、より一般的なアイテム、またはそれらアイテムに関する詳細情報など。Ｅ）ラジオ番組の、かつ／またはテレビ番組の記録など。
【００５１】
また、ユーザ確認については、１つのボタンの押下が２つ以上のアイテム（例えば書籍あるいは書籍に関する詳細情報）に対応する場合、ユーザは単純な選択問題に答えなければならないことになる。これはユーザプロファイル内で定義され得る。例えばユーザ選択が、詳細情報の取得、および最終的に購入するために後でその情報を使用することとなるかもしれない。ユーザプロファイルは、ユーザの行動に従って、システムにより自動的に更新され得る（自動化されたユーザプロファイル構成）。適用例は、使用されるに従って、ユーザプロファイルを学習する。ユーザプロファイルについては、数多くのやり方で編集され得る。例えばインターネットに接続されたパーソナルコンピュータを使用して、ユーザによる直接的な編集も可能である（デバイス５のユーザプロファイルにアクセスすれば、デバイス５がユーザプロファイルをデバイス２および／または４に投入できる）。
【００５２】
補足は、コード情報が、ビデオレコーダ、マルチメディア対応パーソナルコンピュータ、あるいはテレビのセットトップボックスなどユーザの記録システムでの記録をプログラムすることに関連してもあり得ることであってよい。これらのシステムは、後で視聴するために一部のテレビ番組を録画するようにプログラムされ得る。ユーザがラジオで番組のアナウンスを耳にすると、すぐに家庭用レコーダをプログラムできれば大変便利であるだろう。かかるシステムの実装は、パーソナルコンピュータ、セットトップボックス、あるいはＤＶＤレコーダであれば容易に、旧型のビデオテープレコーダでは若干難しくなる（この場合、空のテープが（常に）用意されている必要があるだろう）が、実装されるはずである。
【００５３】
有線接続は、変調方式に基づく電気および光接続など如何なる種類の有線接続であってもよい。無線接続は、赤外線接続およびＵＭＴＳ、ＧＳＭ、ＤＥＣＴ、ＧＰＲＳ、Ｂｌｕｅｔｏｏｔｈ（登録商標）などの無線周波数接続など如何なる種類の無線接続であってもよい。したがって、トリガデバイスはリモコン、携帯電話などであってよい。図１に示されたそれぞれの１対のブロックの間には、他の（インターフェースする）ブロックが存在してよい。図２から図４に示されたブロックについては、各ブロックが、ハードウェアであっても、ソフトウェアであっても、あるいは両者の組合せであってもよい。
【００５４】
インターネットプロトコルアドレス以外のアドレスおよびＵＲＬ以外のロケーションが除外されることはない。インターネットネットワーク以外のネットワークが除外されることはない。無線復号信号は、無線信号中に埋め込まれた如何なる種類のデータも含むことができる。ＷＡＶ形式以外のフォーマット、例えばＭＰ３形式などが除外されることはない。
【００５５】
例えば「受信するため（ｆｏｒ  ｒｅｃｅｉｖｉｎｇ）」や「変換するため（ｆｏｒ  ｃｏｎｖｅｒｔｉｎｇ）」などにおける表現「ため（ｆｏｒ）」が、他の機能も、同時かどうかを問わず実施されることを除外することはない。「Ｙに結合されたＸ（Ｘ  ｃｏｕｐｌｅｄ  ｔｏ  Ｙ）」や「ＸとＹとの結合（ａ  ｃｏｕｐｌｉｎｇ  ｂｅｔｗｅｅｎ  Ｘ  ａｎｄ  Ｙ）」や「ＸとＹを結合／結合する（ｃｏｕｐｌｉｎｇ／ｃｏｕｐｌｅｓ  Ｘ  ａｎｄ  Ｙ）」などの表現が、要素ＺがＸとＹとの間に存在することを除外することはない。「ＰがＱを含む（Ｐ  ｃｏｍｐｒｉｓｅｓ  Ｑ）」や「Ｑを含むＰ（Ｐ  ｃｏｍｐｒｉｓｉｎｇ  Ｑ）」などの表現が、要素Ｒも含まれる（ｃｏｍｐｒｉｓｅｄ／ｉｎｃｌｕｄｅｄ）ことを除外することはない。単語「ａ」および「ａｎ」が、複数の可能な存在を除外することはない。
【００５６】
受信および変換などの工程／機能が、他の工程、例えば、とりわけ、図に対して記載された工程／機能を除外することはない。
【図面の簡単な説明】
【００５７】
【図１】本発明による受信デバイス、本発明によるトリガデバイス、および本発明による収集デバイスを含む、本発明によるシステムを図式的に示す図である。
【図２】本発明による受信デバイスを詳細に図式的に示す図である。
【図３】本発明によるトリガデバイスを詳細に図式的に示す図である。
【図４】本発明による収集デバイスを詳細に図式的に示す図である。
【図１】
2008526060.tif 000003
【図２】
2008526060.tif 000004
【図３】
2008526060.tif 000005
【図４】
2008526060.tif 000006
【国際調査報告】
2008526060.tif 000007
2008526060.tif 000008
2008526060.tif 000009